(57)【要約】  電波環境表示装置は、ユーザにより指定された無線識別情報に対応する無線送信機から送信される第１電波の周波数および測定位置を含む電波強度の第１測定結果を受け取るとともに、第１電波以外の電波の周波数および測定位置を含む電波強度の第２測定結果を受け取る受信部と、第２測定結果から、第１電波の周波数と同一または近傍の周波数を有する、第１電波以外の電波に対応する第２測定結果を選択する選択部と、第１測定結果と選択された第２測定結果との差を、第１電波の測定位置における電波環境として表示部に表示する制御部と、を備える。
2019198680.tif 000002
【特許請求の範囲】
【請求項１】
ユーザにより指定された無線識別情報に対応する無線送信機から送信される第１電波の周波数および測定位置を含む電波強度の第１測定結果を受け取るとともに、前記第１電波を含む電波の周波数および測定位置を含む電波強度の第２測定結果を受け取る受信部と、
前記第２測定結果から、前記第１電波の周波数と同一または近傍の周波数を有する、前記第１電波以外の他の電波に対応する前記第２測定結果を選択する選択部と、
前記第１測定結果と選択された前記第２測定結果との差を、前記第１電波の測定位置における電波環境として表示部に表示する制御部と、を備える、
電波環境表示装置。
【請求項２】
前記制御部は、複数の前記第２測定結果が選択された場合、前記第１測定結果と複数の前記第２測定結果のそれぞれの加算結果との差を前記表示部に表示する、
請求項１に記載の電波環境表示装置。
【請求項３】
前記受信部は、
前記第１電波の電波強度の測定の度に、前記電波環境の測定対象エリアの所定範囲内の測定位置を変えて配置される測定機からの前記第１測定結果を受け取り、
前記所定範囲内の少なくとも１つの測定地点に配置される前記測定機からの前記第２測定結果を、前記所定範囲内における前記第２測定結果として受け取る、
請求項１に記載の電波環境表示装置。
【請求項４】
前記第１電波の電波強度の測定位置に配置される測定機は、それぞれの面にアンテナ部が設けられた多面体の筐体を有し、
前記制御部は、前記多面体のうち少なくとも一面において前記第１電波を含む他の電波の電波環境の測定を実行させ、前記多面体の残りの面において前記第１電波の電波環境の測定を実行させる、
請求項１に記載の電波環境表示装置。
【請求項５】
電波環境表示装置における電波環境表示方法であって、
ユーザにより指定された無線識別情報に対応する無線送信機から送信される第１電波の周波数および測定位置を含む電波強度の第１測定結果を受け取るステップと、
前記第１電波を含む電波の周波数および測定位置を含む電波強度の第２測定結果を受け取るステップと、
前記第２測定結果から、前記第１電波の周波数情報に対応する周波数と同一または近傍の周波数を有する、前記第１電波以外の他の電波に対応する前記第２測定結果を選択するステップと、
前記第１測定結果と選択された前記第２測定結果との差を、前記第１電波の測定位置における電波環境として表示部に表示するステップと、を有する、
電波環境表示方法。
【発明の詳細な説明】
【技術分野】
【０００１】
本開示は、電波環境表示装置および電波環境表示方法に関する。
【背景技術】
【０００２】
特許文献１は、推定対象のエリアを微小区間に区切り、それぞれの微小区間において、エリア内に設置された複数の基地局からの受信品質をそれぞれ把握する方法を開示している。また、この特許文献１は、各微小区間における受信品質と微小区間と隣接する微小区間との受信品質の差を参照してハンドオーバ条件を検出することによって、ハンドオーバが発生するエリアを推定する方法を開示している。
【先行技術文献】
【特許文献】
【０００３】
【特許文献１】日本国特開２００６−３５２３８５号公報
【発明の概要】
【発明が解決しようとする課題】
【０００４】
本開示は、上述した従来の状況に鑑みて案出され、測定対象のエリアを伝送中の無線送信機から送信される所望の電波の電波環境を測定する際、エリア内に存在する妨害波の影響を排除して的確な電波環境の測定を支援する電波環境表示装置および電波環境表示方法を提供することを目的とする。
【課題を解決するための手段】
【０００５】
本開示は、ユーザにより指定された無線識別情報に対応する無線送信機から送信される第１電波の周波数および測定位置を含む電波強度の第１測定結果を受け取るとともに、前記第１電波以外の電波の周波数および測定位置を含む電波強度の第２測定結果を受け取る受信部と、前記第２測定結果から、前記第１電波の周波数と同一または近傍の周波数を有する、前記第１電波以外の電波に対応する前記第２測定結果を選択する選択部と、前記第１測定結果と選択された前記第２測定結果との差を、前記第１電波の測定位置における電波環境として表示部に表示する制御部と、を備える、電波環境表示装置を提供する。【０００６】
また、本開示は、電波環境表示装置における電波環境表示方法であって、ユーザにより指定された無線識別情報に対応する無線送信機から送信される第１電波の周波数および測定位置を含む電波強度の第１測定結果を受け取るステップと、前記第１電波を含む電波の周波数および測定位置を含む電波強度の第２測定結果を受け取るステップと、前記第２測定結果から、前記第１電波の周波数情報に対応する周波数と同一または近傍の周波数を有する、前記第１電波以外の他の電波に対応する前記第２測定結果を選択するステップと、前記第１測定結果と選択された前記第２測定結果との差を、前記第１電波の測定位置における電波環境として表示部に表示するステップと、を有する、電波環境表示方法を提供する。
【発明の効果】
【０００７】
本開示によれば、測定対象のエリアを伝送中の無線送信機から送信される所望の電波の電波環境を測定する際、エリア内に存在する妨害波の影響を排除して的確な電波環境の測定を支援できる。
【図面の簡単な説明】
【０００８】
【図１】実施の形態１に係る電波測定装置およびＰＣのそれぞれのハードウェア構成例を示すブロック図
【図２】実施の形態１に係る電波測定装置の外観を示す斜視図
【図３】電波測定装置と所望のアクセスポイントと妨害波の信号源を示す説明図
【図４】メイン信号、妨害波、定常波のそれぞれの信号電力の一例を示すグラフ
【図５】スキャンモードを実行する対象となる所定範囲の一例を示す説明図
【図６】実施の形態１に係る電波測定装置およびＰＣの電波環境の測定に関する動作手順の一例を時系列に説明するシーケンス図
【発明を実施するための形態】
【０００９】
（実施の形態１の内容に至る経緯）
例えば、工場、オフィスまたは店舗等のエリアに配置されたアクセスポイントから電波が送信（放射）され、エリア内のそれぞれの地点における電波の受信品質（言い換えると、電波環境）を測定する技術が検討されている。アクセスポイントは、例えば、Ｗｉｆｉ（登録商標）等の無線ＬＡＮ（Ｌｏｃａｌ  Ａｒｅａ  Ｎｅｔｗｏｒｋ）に準拠した無線通信用の信号（電波）を送信（放射）する。このようなエリア内には、ユーザの所望の電波（つまり、測定対象である目的のアクセスポイントからの電波）が伝送中の他、妨害波（つまり、測定対象外の信号源からの電波）が伝送中のことがあり、電波の受信品質の測定においては妨害波の影響を考慮する必要があると考えられる。上述した特許文献１では、妨害波の影響を考慮して受信品質の測定を行うことは想定されていない。
【００１０】
そこで、以下の実施の形態１では、測定対象のエリアを伝送中の無線送信機から送信される所望の電波の電波環境を測定する際、エリア内に存在する妨害波の影響を排除して的確な電波環境の測定を支援する電波環境表示装置および電波環境表示方法の例を説明する。
【００１１】
以下、適宜図面を参照しながら、本開示に係る電波環境表示装置および電波環境表示方法を具体的に開示した実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になることを避け、当業者の理解を容易にするためである。なお、添付図面および以下の説明は、当業者が本開示を十分に理解するために提供されるものであり、これらにより特許請求の範囲に記載の主題を限定することは意図されていない。
【００１２】
実施の形態１では、電波環境の可視化を目的とする測定対象エリアのそれぞれの地点毎に電波測定装置が配置され、電波環境を測定する人物（以下、「ユーザ」という）により指定された所望の無線識別情報に対応するアクセスポイントから送信（放射）される電波を含む各種の信号源からの電波が電波測定装置により受信される。電波測定装置に接続されるＰＣ（電波環境表示装置の一例）は、電波測定装置により受信された電波の受信品質（後述参照）を基にして、電波測定装置が配置された地点における上述したアクセスポイントからの電波の受信品質を求めてディスプレイに表示する。
【００１３】
ここでいう電波は、例えば、Ｗｉｆｉ（登録商標）等の所望の無線ＬＡＮの周波数帯の無線信号に対応する電波に限らず、その周波数帯と同一または近傍の周波数帯の（言い換えると、干渉する可能性のある）無線信号に対応する電波を含む。電波環境とは、所望の無線識別情報（つまり、所望の無線ＬＡＮ）に対応するアクセスポイントから電波が送信（放射）された場合、電波環境表示装置によって実行される演算処理によって得られる、測定対象エリア内の地点毎の受信品質である。受信品質は、例えば受信された信号の信号電力（言い換えると、受信電界強度）である。
【００１４】
先ず、実施の形態１に係る電波環境測定システム１００の構成について、図１および図２を参照して説明する。図１は、実施の形態１に係る電波測定装置１０およびＰＣ２０のそれぞれのハードウェア構成例を示すブロック図である。図１に示すように、電波環境測定システム１００は、電波測定装置１０と、ＰＣ２０とを含む構成である。
【００１５】
図２は、実施の形態１に係る電波測定装置１０の外観を示す斜視図である。実施の形態１において、Ｘ軸，Ｙ軸，Ｚ軸のそれぞれの方向は、例えば図２に示す矢印の方向に従う。また例えば、＋Ｘ方向および−Ｘ方向は電波測定装置１０の筐体の上下方向、−Ｙ方向および＋Ｙ方向は電波測定装置１０の筐体の左右方向、−Ｚ方向および＋Ｚ方向は電波測定装置１０の筐体の前後方向にそれぞれ相当する。
【００１６】
図２に示すように、電波測定装置１０は、四角柱形状（例えば直方体あるいは立方体）等の多面体の筐体を有し、筐体を構成する計６つの面（具体的には、前面１ＰＬ，左面２ＰＬ，後面，右面，上面５ＰＬおよび下面）には対応してアンテナ部１，…，６が設けられている。電波測定装置１０の筐体は、いずれかの面（例えば下面）から直接または一定距離離間して台座（図示略）により固定され、台座には車輪が設けられる。これにより、電波測定装置１０はエリア内を測定する際に簡易に移動可能となる。
【００１７】
図１に示すように、電波測定装置１０は、アンテナ部１〜６と、ＭＰＵ７ａと、ＵＳＢ（Ｕｎｉｖｅｒｓａｌ  Ｓｅｒｉａｌ  Ｂｕｓ）ポート７ｂとを含む構成である。アンテナ部１〜６の構成はいずれも同一であるため、ここでは説明を簡略化するために、アンテナ部１を例示して説明する。また、以下のアンテナ部１の説明において、他のアンテナ部の対応する構成に読み替えても構わない。
【００１８】
アンテナ部１は、水平偏波アンテナ１ｈと、垂直偏波アンテナ１ｖと、スイッチ部１ｓと、アンテナ制御部１ｍとを含む。
【００１９】
水平偏波アンテナ１ｈは、測定対象エリア内を伝送中の所望の無線識別情報に対応するアクセスポイントＡＰ１（図３参照）からの電波（以下、「メイン信号ＷＶ１」という）を含む各種の信号源からの電波（後述参照）の水平偏波を受信し、具体的には、所定の周波数帯（例えば、１．９ＧＨｚ〜２．４ＧＨｚ帯）の水平偏波を受信する。水平偏波アンテナ１ｈは、スイッチ部１ｓ（図２では図示略）と導通される。
【００２０】
垂直偏波アンテナ１ｖは、測定対象エリア内を伝送中の所望の無線識別情報に対応するアクセスポイントＡＰ１（図３参照）からの電波（メイン信号ＷＶ１）を含む各種の信号源からの電波（後述参照）の垂直偏波を受信し、具体的には、所定の周波数帯（例えば、１．９ＧＨｚ〜２．４ＧＨｚ帯）の垂直偏波を受信する。垂直偏波アンテナ１ｖは、スイッチ部１ｓ（図２では図示略）と導通される。
【００２１】
スイッチ部１ｓは、ＭＰＵ７ａのスイッチ切換制御部７ａ２から電波測定装置１０の筐体を構成する面毎に時分割で出力されるスイッチ切換信号に応じて、水平偏波アンテナ１ｈまたは垂直偏波アンテナ１ｖをアンテナ制御部１ｍに接続する。言い換えると、スイッチ部１ｓは、上述したスイッチ切換信号に応じて、水平偏波アンテナ１ｈまたは垂直偏波アンテナ１ｖの出力をアンテナ制御部１ｍに出力する。
【００２２】
アンテナ制御部１ｍは、上述した１．９ＧＨｚ〜２．４ＧＨｚの周波数帯を扱う各種の無線通信方式に準拠した無線信号を処理可能な回路を用いて構成される。ここでいう無線通信方式は、例えば、ＤＥＣＴ（Ｄｉｇｉｔａｌ  Ｅｎｈａｎｃｅｄ  Ｃｏｒｄｌｅｓｓ  Ｔｅｌｅｃｏｍｍｕｎｉｃａｔｉｏｎｓ）、Ｂｌｕｅｔｏｏｔｈ（登録商標）、Ｗｉｆｉ（登録商標）等の無線ＬＡＮである。アンテナ制御部１ｍは、スイッチ部１ｓに接続された水平偏波アンテナ１ｈまたは垂直偏波アンテナ１ｖの出力（例えば、信号電力もしくは受信電界強度）をパラレル形式のデータとして取り出し、そのパラレル形式のデータをＭＰＵ７ａのデータ変換部７ａ１に出力する。
【００２３】
ＭＰＵ（Ｍｉｃｒｏ  Ｐｒｏｃｅｓｓｉｎｇ  Ｕｎｉｔ）７ａは、電波測定装置１０の制御部として機能し、電波測定装置１０の各部の動作を全体的に統括するための制御処理、電波測定装置１０の各部との間のデータの入出力処理、データの演算処理、およびデータの記憶処理を行う。ＭＰＵ７ａは、データ変換部７ａ１と、スイッチ切換制御部７ａ２とを含む。
【００２４】
ＭＰＵ７ａは、ユーザにより指定された無線識別情報（例えば、ＳＳＩＤ（Ｓｅｒｖｉｃｅ  Ｓｅｔ  ＩＤｅｎｔｉｆｉｅｒ））の信号電力を測定するための測定コマンドがＰＣ２０から送られると、ＵＳＢポート７ｂを介してその測定コマンドを受信する。ＭＰＵ７ａは、測定コマンドの受信に応じて測定モードに移行し、ユーザにより指定されたＳＳＩＤの信号（つまり、上述したメイン信号ＷＶ１）の信号電力の測定を開始するように電波測定装置１０の各部を制御する。
【００２５】
ＭＰＵ７ａは、上述したメイン信号ＷＶ１のアクセスポイントＡＰ１を含む各種の信号源（図３参照）からの電波の信号電力を測定するための測定コマンド（つまり、スキャンモードの測定コマンド）がＰＣ２０から送られると、ＵＳＢポート７ｂを介してその測定コマンドを受信する。ＭＰＵ７ａは、測定コマンドの受信に応じてスキャンモードに移行し、ユーザにより指定されたＳＳＩＤの信号（つまり、上述したメイン信号ＷＶ１）を含む各種の信号源からの電波の信号電力の測定を開始するように電波測定装置１０の各部を制御する。
【００２６】
データ変換部７ａ１は、例えばＵＡＲＴ（Ｕｎｉｖｅｒｓａｌ  Ａｓｙｎｃｈｒｏｎｏｕｓ  Ｒｅｃｅｉｖｅｒ／Ｔｒａｎｓｍｉｔｔｅｒ）回路を用いて構成され、それぞれのアンテナ制御部（例えば、アンテナ制御部１ｍ〜６ｍ）により出力されたパラレル形式のデータをシリアル形式のデータに変換する。このデータ（例えば、アクセスポイントＡＰ１を含む各種の信号源から送信された電波の信号電力もしくは受信電界強度）は、ＵＳＢポート７ｂを介して、電波測定装置１０に接続されるＰＣ２０に入力される。なお、そのデータは、ＰＣ２０の他に、ＵＳＢポート７ｂを介して接続される測定機器（図示略、例えばスペクトラムアナライザもしくはネットワークアナライザ）に入力されてもよい。
【００２７】
スイッチ切換制御部７ａ２は、電波測定装置１０のそれぞれの面のうちいずれかの面の水平偏波アンテナまたは垂直偏波アンテナの出力をＭＰＵ部７に入力するためのスイッチ切換信号を時分割に生成する。スイッチ切換制御部７ａ２は、ＧＰＩＯ（Ｇｅｎｅｒａｌ−ｐｕｒｐｏｓｅ  Ｉｎｐｕｔ／Ｏｕｔｐｕｔ）端子を有し、このＧＰＩＯ端子を介して、上述した時分割に生成したスイッチ切換信号を、それぞれの面のスイッチ部（例えばスイッチ部１ｓ〜６ｓ）に出力する。これにより、スイッチ切換信号により、電波測定装置１０が有する合計１２個のアンテナのうち、所定時間毎にアンテナ部１の水平偏波アンテナ１ｈの出力、アンテナ部１の垂直偏波アンテナ１ｖの出力、…、アンテナ部６の水平偏波アンテナ６ｈの出力、アンテナ部６の垂直偏波アンテナ６ｖの出力の順に周期的に、いずれかのアンテナの出力値だけが排他的にＭＰＵ７ａに入力可能となる。
【００２８】
ＵＳＢポート７ｂは、電波測定装置１０とＰＣ２０とを接続する。
【００２９】
なお、上述した説明は、電波測定装置１０が電波を受信する場合を例示した説明であるが、電波測定装置１０は電波を送信するための構成を有していると考えてよい。つまり、電波測定装置１０は、アンテナ部１〜６のうち時分割でいずれかのアンテナ部を使用するように切り換え、さらに、そのアンテナ部に設けられた水平偏波アンテナまたは垂直偏波アンテナから電波を時分割に送信してもよい。
【００３０】
電波測定装置１０は、それぞれの面を構成する面材としての積層基板と、電波測定装置１０の筐体内部に内方されるフレーム体とを主要な構成として有する。積層基板とフレーム体とは、多面体（例えば六面体）である、電波測定装置１０の筐体を構成する。電波測定装置１０の筐体は例えば六面体であり、図２では立方体である場合を例示している。積層基板は、立方体のそれぞれの面に、例えば固定ねじ３５により貼り付けられている。
【００３１】
なお、電波測定装置１０の筐体を構成する面材は、積層基板に限定されない。また、多面体は、六面体に限定されず、例えば四面体、１２面体等であってもよい。
【００３２】
電波測定装置１０は、１つの上面５ＰＬに配置された積層基板と、４つの側面（例えば、前面１ＰＬ、左面２ＰＬ、右面、後面）のそれぞれに配置された積層基板と、１つの下面に配置された積層基板とにそれぞれアンテナ（水平偏波アンテナおよび垂直偏波アンテナ）が設けられている。これにより、電波測定装置１０は、到来する電波を計６つの方向から受信することが可能になる。なお、電波測定装置１０を所定の被載置面に固定して電波を測定する際には、電波測定装置１０の下面には、アンテナを備えた積層基板が省略されてもよい。
【００３３】
それぞれの積層基板において配置されたアンテナは、例えば、ダイポールアンテナである。ダイポールアンテナは、例えば積層基板上に形成され、表面の金属箔をエッチング等することによってダイポールアンテナのパターンが形成される。複数の層のそれぞれは、例えば銅箔やガラスエポキシ等で構成される。
【００３４】
電波測定装置１０の立方体の筐体のそれぞれの積層基板には、例えば１．９ＧＨｚ〜２．４ＧＨｚ帯の水平偏波アンテナ１ｈ〜６ｈと、１．９ＧＨｚ〜２．４ＧＨｚ帯の垂直偏波アンテナ１ｖ〜６ｖとが表面（上層）に設けられている。
【００３５】
積層基板を構成するためにＡＭＣ（Ａｒｔｉｆｉｃｉａｌ  Ｍａｇｎｅｔｉｃ  Ｃｏｎｄｕｃｔｏｒ）が用いられている。ＡＭＣは、ＰＭＣ（Ｐｅｒｆｅｃｔ  Ｍａｇｎｅｔｉｃ  Ｃｏｎｄｕｃｔｏｒ）特性を有する人工磁気導体であり、所定の金属パターンにより形成される。ＡＭＣを利用することで、電波測定装置１０のアンテナを積層基板に対して平行に配置することができ、全体のサイズを小さくすることができる。また、ＡＭＣは、接地導体によって、他の方向からの電波を受けないようにすることができ、アンテナの高利得化ができる。
【００３６】
電波測定装置１０は、積層基板の四辺の縁部に、各辺に沿って複数の接地用ビア導体６１が直線上に並んで設けられる。なお、接地用ビア導体６１は、等間隔に並んで配置されてもよい。また、それぞれの接地用ビア導体６１は、積層基板に配置されたアンテナ導体に対応した周波数帯（言い換えると、波長）に応じて、電波測定装置１０の外部からの電波を遮蔽可能な程度に十分なピッチ（間隔）を以て設けられてよい。接地用ビア導体６１は、積層基板の上面から下面に貫通して設けられる。
【００３７】
電波測定装置１０は、積層基板が例えば四角形状に形成される。積層基板は、それぞれの辺部に、その辺部の中央に設けられた一つの段部７１を境に、その辺部に沿う方向で凹部と凸部とが形成される。即ち、電波測定装置１０の筐体は、図２に示すように、隣接する積層基板同士の凹部と凸部とを嵌め合わせて、組み合わされている。
【００３８】
電波環境表示装置の一例としてのＰＣ２０は、電波測定装置１０と有線のケーブル（例えばＵＳＢケーブル）を介して接続され、電波測定装置１０により受信された電波の受信品質（例えば、信号電力もしくは受信電界強度）を入力する。ＰＣ２０は、入力された電波の受信品質を用いて、測定対象エリア内において電波測定装置１０が配置された地点におけるメイン信号ＷＶ１（図３参照）の電波環境（例えば、後述するＳＩＮＲ（Ｓｉｇｎａｌ−ｔｏ−Ｉｎｔｅｒｆｅｒｅｎｃｅ−ｐｌｕｓ−Ｎｏｉｓｅ  Ｒａｔｉｏ））を算出して表示する。
【００３９】
ＰＣ２０は、プロセッサ１１と、ＲＯＭ１２と、ＲＡＭ１３と、キーボード１４と、マウス１５と、入出力インターフェース１６と、ＨＤＤ（Ｈａｒｄ  Ｄｉｓｋ  Ｄｒｉｖｅ）１７と、ディスプレイ１８とを含む構成である。ＲＯＭ１２、ＲＡＭ１３、キーボード１４、マウス１５、入出力インターフェース１６、ＨＤＤ１７およびディスプレイ１８は、それぞれプロセッサ１１との間でデータもしくは情報の入出力が可能に内部バス等で接続される。
【００４０】
プロセッサ１１は、例えばＣＰＵ（Ｃｅｎｔｒａｌ  Ｐｒｏｃｅｓｓｉｎｇ  Ｕｎｉｔ）、ＭＰＵ（Ｍｉｃｒｏ  Ｐｒｏｃｅｓｓｉｎｇ  Ｕｎｉｔ）、ＤＳＰ（Ｄｉｇｉｔａｌ  Ｓｉｇｎａｌ  Ｐｒｏｃｅｓｓｏｒ）またはＦＰＧＡ（Ｆｉｅｌｄ  Ｐｒｏｇｒａｍｍａｂｌｅ  Ｇａｔｅ  Ａｒｒａｙ）を用いて構成される。プロセッサ１１は、ＰＣ２０の制御部として機能し、ＰＣ２０の各部の動作を全体的に統括するための制御処理、ＰＣ２０の各部との間のデータもしくは情報の入出力処理、データの演算処理、およびデータもしくは情報の記憶処理を行う。プロセッサ１１は、ＨＤＤ１７に記憶されたプログラム１７ａに従って動作する。プロセッサ１１は、処理の実行時にＲＯＭ１２およびＲＡＭ１３を使用し、後述する演算処理により生成された演算結果データ１７ｃをディスプレイ１８に出力して表示させる。
【００４１】
選択部の一例としてのプロセッサ１１は、スキャンモードにおいて電波測定装置１０から得られた電波の受信品質の測定結果（以下、「第２測定結果」という）から、第１電波の一例としてのメイン信号ＷＶ１の周波数（チャネル）と同一または近傍の周波数を有する、メイン信号ＷＶ１以外の電波（図３参照）に対応する受信品質の測定結果（第２測定結果）を少なくとも１つ選択する。
【００４２】
制御部の一例としてのプロセッサ１１は、電波測定装置１０が配置された地点におけるメイン信号ＷＶ１の電波強度を示す受信品質の測定結果（以下、「第１測定結果」という）と、選択された第２測定結果との差（いわゆる、ＳＩＮＲ）を演算処理して算出する。プロセッサ１１は、その算出された差（ＳＩＮＲ）を、電波測定装置１０が配置された地点におけるメイン信号ＷＶ１の電波環境としてディスプレイ１８に表示する。
【００４３】
ＲＯＭ１２は、読み出し専用のメモリであり、ＯＳ（Ｏｐｅｒａｔｉｎｇ  Ｓｙｓｔｅｍ）のプログラムおよびデータを予め格納する。このＯＳのプログラムは、ＰＣ２０の起動に伴って実行される。
【００４４】
ＲＡＭ１３は、書き込みおよび読み出しが可能なメモリであり、各種の電波環境の演算処理（図６参照）の実行時にワークメモリとして用いられ、各種の電波環境の演算処理の際に用いるまたは生成されるデータもしくは情報を一時的に保持する。
【００４５】
操作入力部の一例としてのキーボード１４およびマウス１５は、ユーザとの間のヒューマンインターフェースとしての機能を有し、ユーザの操作を入力する。言い換えると、キーボード１４およびマウス１５は、ＰＣ２０により実行される各種の処理における各種の設定に用いられる。
【００４６】
受信部の一例としての入出力インターフェース１６は、電波測定装置１０との間のデータもしくは情報の入出力を行うためのインターフェースとして動作する。入出力インターフェース１６は、ユーザにより指定された無線識別情報（後述参照）に対応するアクセスポイントＡＰ１（図３参照）から送信されるメイン信号ＷＶ１の周波数および測定位置を含む電波強度の測定結果（第１測定結果）を電波測定装置１０から受け取ってプロセッサ１１に送る。入出力インターフェース１６は、上述したメイン信号ＷＶ１を含む各種の電波の周波数および測定位置を含む電波強度の測定結果（第２測定結果）を電波測定装置１０から受け取ってプロセッサ１１に送る。
【００４７】
ＨＤＤ１７は、電波環境の演算処理（図６参照）を実行するためのプログラム１７ａと、電波環境の演算処理に用いる演算基礎データ１７ｂと、電波環境の演算処理結果に相当する演算結果データ１７ｃと、その演算結果データ１７ｃに基づいて生成される表示データ１７ｄとを格納する。演算基礎データ１７ｂは、例えば上述したＳＩＮＲを演算する際の数式の情報、測定対象エリア内の地図もしくはレイアウトのデータ、通信部１９により受信される測定対象エリア内を伝送中の各種の信号源からの電波に関する情報、ユーザの所望の無線識別情報に対応するアクセスポイントＡＰ１に関する情報が含まれる。
【００４８】
電波環境の演算処理を実行するためのプログラム１７ａは、ＨＤＤ１７からプロセッサ１１を介してＲＡＭ１３に読み出されて、プロセッサ１１によって実行される。また、このプログラム１７ａは、ＨＤＤ１７以外の記録媒体（図示略、例えばＣＤ−ＲＯＭ）に記録され、対応する読取装置（図示略、例えばＣＤ−ＲＯＭドライブ装置）によりＲＡＭ１３に読み出されてもよい。
【００４９】
表示部の一例としてのディスプレイ１８は、例えばＬＣＤ（Ｌｉｑｕｉｄ  Ｃｒｙｓｔａｌ  Ｄｉｓｐｌａｙ）または有機ＥＬ（Ｅｌｅｃｔｒｏｌｕｍｉｎｅｓｃｅｎｃｅ）等の表示デバイスを用いて構成される。ディスプレイ１８は、ユーザとの間のヒューマンインターフェースとしての機能を有し、各種の設定の内容やＰＣ２０の動作状態、各種の演算結果および演算結果に対応する表示データ１７ｄを表示する。
【００５０】
通信部１９は、ＰＣ２０が配置される測定対象エリア内を伝送中の（言い換えると、飛んでいる）電波を受信し、例えば公知技術を用いて、その電波の電波強度（例えば、信号電力もしくは受信電界強度）と周波数と電波の信号源（例えば、アクセスポイントに対応するＳＳＩＤ）とに関する各情報を抽出し、抽出結果をプロセッサ１１に出力する。この抽出結果は、ＰＣ２０が受信した電波の電波リストとしてプロセッサ１１によってディスプレイ１８に表示される。
【００５１】
次に、実施の形態１に係る電波環境測定システム１００におけるメイン信号ＷＶ１の電波強度（言い換えると、受信品質）の測定の動作概要について、図３、図４および図５を参照して説明する。図３は、電波測定装置１０と所望のアクセスポイントＡＰ１と妨害波ＮＺ１，ＮＺ２，ＮＺ３，ＮＺ４の信号源ＩＦ１，ＩＦ２，ＩＦ３，ＩＦ４を示す説明図である。図４は、メイン信号ＷＶ１、妨害波ＮＺ１，ＮＺ２，ＮＺ３，ＮＺ４、定常波のそれぞれの信号電力の一例を示すグラフである。図５は、スキャンモードを実行する対象となる所定範囲ＡＲ１の一例を示す説明図である。
【００５２】
実施の形態１に係る電波測定装置１０は、測定対象エリア内の測定対象となる地点（測定位置の一例）毎に位置を変えて配置される。図３に示すように、電波測定装置１０の筐体を構成する六面体のそれぞれの面に設けられた水平偏波アンテナ１ｈ，２ｈ，…，５ｈ，…６ｈ（図示略）もしくは垂直偏波アンテナ１ｖ，２ｖ，…，５ｖ，…６ｖ（図示略）は、アクセスポイントＡＰ１からのメイン信号ＷＶ１以外に、信号源ＩＦ１，ＩＦ２，ＩＦ３，ＩＦ４からのそれぞれの電波（つまり、妨害波ＮＺ１，ＮＺ２，ＮＺ３，ＮＺ４）を受信する。
【００５３】
アクセスポイントＡＰ１は、ユーザが測定対象としたい所望の無線識別情報（例えば、ＳＳＩＤ）に対応する周波数を有する無線信号（つまり、メイン信号ＷＶ１）を送信する無線送信機である。以下、メイン信号ＷＶ１は、例えばＷｉｆｉ（登録商標）等の無線ＬＡＮに準拠した信号とする。信号源ＩＦ１〜ＩＦ４は、メイン信号ＷＶ１の周波数と同一または近傍の周波数（言い換えると、メイン信号ＷＶ１の周波数と全部または一部が重複する周波数）を有して干渉する可能性のある信号（つまり、妨害波）を送信する無線送信機である。
【００５４】
例えば、メイン信号ＷＶ１が無線ＬＡＮ（例えば２．４ＧＨｚ帯）の周波数を有する場合、妨害波ＮＺ１，ＮＺ２，ＮＺ３はＢｌｕｅｔｏｏｔｈ（登録商標）に準拠した２．０ＧＨｚ帯の無線信号であり、妨害波ＮＺ４はＤＥＣＴに準拠した１．９ＧＨｚ帯の無線信号である。なお、妨害波ＮＺ１〜ＮＺ４の組み合わせは、これらの組み合わせに限定されない。
【００５５】
図４では、メイン信号ＷＶ１の信号電力Ｍ１は、妨害波ＮＺ１〜ＮＺ４の信号電力のそれぞれの合算した信号電力Ｎ１や、測定対象エリアにおいて定常的に存在している定常波（ノイズ）の信号電力Ｃ１よりも高い。図４では、説明を分かり易くするために、信号電力はデシベル単位で示されるとしている。
【００５６】
ここで、図４に示すメイン信号ＷＶ１の信号電力Ｍ１の大きさがそのまま、電波測定装置１０が配置された測定対象エリア内の地点における受信品質として使用することは好ましくないと考えられる。これは、メイン信号ＷＶ１の信号電力Ｍ１の大きさが、信号電力Ｍ１が得られた測定位置（つまり、電波測定装置１０が配置された位置）においてメイン信号ＷＶ１と干渉する妨害波ＮＺ１〜ＮＺ４の信号電力の影響を受けて劣化するためである。従って、実施の形態１に係るＰＣ２０は、メイン信号ＷＶ１の信号電力Ｍ１が得られた地点における電波環境（例えばＳＩＮＲ）を、メイン信号ＷＶ１の信号電力Ｍ１の大きさから妨害波ＮＺ１〜ＮＺ４の合算値の大きさを差し引いた信号電力ｐｗ１と算出する。なお、信号電力ｐｗ１は、一定時間におけるメイン信号ＷＶ１の信号電力Ｍ１の大きさの平均値から一定時間における妨害波ＮＺ１〜ＮＺ４の合算値の大きさの平均値を差し引いたものとしてもよい。
【００５７】
図５に示すように、実施の形態１に係る電波測定装置１０は、メイン信号ＷＶ１の受信品質が測定される際、測定対象エリア内の地点Ｐ１，Ｐ２，Ｐ３，Ｐ４，Ｐ５，Ｐ６，Ｐ７，Ｐ８，Ｐ９，Ｐ１０，Ｐ１１，Ｐ１２，Ｐ１３，Ｐ１４，Ｐ１５，Ｐ１６のそれぞれに位置を変えて配置される（上述参照）。電波測定装置１０は、測定モードにおいて、それぞれの地点において受信するメイン信号ＷＶ１の受信品質を短時間（例えば１〜２秒程度）で求める（測定する）ことができる。従って、ＰＣ２０は、地点Ｐ１〜Ｐ１６のそれぞれに配置された電波測定装置１０において受信されたメイン信号ＷＶ１の受信品質を迅速に入力できる。
【００５８】
一方で、電波測定装置１０は、スキャンモードにおいて、１箇所の地点において受信するメイン信号ＷＶ１を含む各種の妨害波ＮＺ１〜ＮＺ４の受信品質を短時間（例えば１〜２秒程度）で求める（測定する）ことが困難である。具体的には、スキャンモードでは、電波測定装置１０が１箇所の地点における測定に２〜３分程度の時間を要するので、電波環境の迅速な算出が困難となってしまう。
【００５９】
従って、図５に示すように、実施の形態１に係るＰＣ２０は、測定対象エリア内のそれぞれの地点Ｐ１〜Ｐ１６の全てにおいてスキャンモードによる測定を電波測定装置１０に実行させず、所定範囲ＡＲ１内の少なくとも１箇所（例えば地点Ｐ１２）においてスキャンモードによる測定を電波測定装置１０に実行させる。言い換えると、ＰＣ２０は、所定範囲ＡＲ１内のそれぞれの地点Ｐ１〜Ｐ１２におけるメイン信号ＷＶ１の電波環境（例えばＳＩＮＲ）を演算する際、妨害波ＮＺ１〜ＮＺ４の信号電力として、例えば地点Ｐ１２でスキャンモードにおいて測定された受信品質の測定結果を用いる。さらに、ＰＣ２０は、所定範囲ＡＲ１と異なる第２の所定範囲（図示せず）内の少なくとも１箇所においてスキャンモードによる測定を電波測定装置１０に実行させる。所定範囲ＡＲ１の第２の所定範囲との範囲とは、その一部が重なってもよいし、重ならなくてもよい。所定範囲ＡＲ１のような所定範囲は、第１の所定範囲、第２の所定範囲、第３の所定範囲、…と複数あってもよく、所定範囲の数が少ないほど全体の測定にかかる時間が短縮できる一方で、数が多いほど精度良い測定結果が得られる。複数の所定範囲により、測定対象エリアの全範囲をカバーできることが望ましいが、測定する地点が存在しないエリアはカバーしなくてもよい。なお、ＰＣ２０は、測定した地点が複数の所定範囲（例えば所定範囲ＡＲ１と第２の所定範囲）に属する場合、近い方の地点でスキャンモードにおいて測定された受信品質の測定結果を用いる。
【００６０】
これは、所定範囲ＡＲ１内の地点であれば、妨害波ＮＺ１〜ＮＺ４の電波強度（つまり、信号電力あるいは受信電界強度）はさほど変わらないと推測可能であることに基づく。具体的には、後述する図６のステップＳｔ７〜ステップＳｔ１１の処理は、スキャンモード時の動作であり、所定範囲ＡＲ１内の少なくとも１箇所（例えば地点Ｐ１２）において実行されればよい。言い換えると、所定範囲ＡＲ１内の１箇所（例えば地点Ｐ１２）を除く他の地点に電波測定装置１０が配置された場合の図６の処理のうち、ステップＳｔ７〜Ｓｔ１１の処理は省略されてよい。
【００６１】
これにより、ＰＣ２０は、所定範囲ＡＲ１内のそれぞれの地点Ｐ１〜Ｐ１２のうち地点Ｐ１２を除く他の地点Ｐ１〜Ｐ１１において、スキャンモードによる測定を電波測定装置１０に実行させることを省略できるので、それぞれの地点における電波環境を迅速に求めることができる。
【００６２】
次に、実施の形態１に係る電波環境測定システム１００における電波環境の測定に関する動作手順について、図６を参照して説明する。図６は、実施の形態１に係る電波測定装置１０およびＰＣ２０の電波環境の測定に関する動作手順の一例を時系列に説明するシーケンス図である。図６の説明の前提として、電波測定装置１０は、ユーザによって測定対象エリアの測定対象となる地点に配置され、ＰＣ２０は、電波測定装置１０が配置された測定対象エリア内を伝送中の電波を通信部１９において受信し、受信された電波（つまり、無線信号）の電波強度と周波数と信号源とに関する情報の抽出結果を電波リストとしてディスプレイ１８に表示している。
【００６３】
図６において、ＰＣ２０は、ディスプレイ１８に表示されている電波リストの中からユーザのキーボード１４もしくはマウス１５を用いた操作により、測定モードの対象となるメイン信号ＷＶ１に対応するアクセスポイントＡＰ１の無線識別情報（例えば、ＳＳＩＤ）の指定を受け付ける（Ｓｔ１）。ＰＣ２０は、ステップＳｔ１において指定されたＳＳＩＤに対応するアクセスポイントＡＰ１からのメイン信号ＷＶ１の信号電力を測定するための測定モード用の測定コマンドを生成し、その生成された測定コマンドを電波測定装置１０に送信する（Ｓｔ２）。
【００６４】
電波測定装置１０は、ステップＳｔ２においてＰＣ２０から送信された測定コマンドを受信し（Ｓｔ３）、測定モードとして、自装置が配置された地点において、測定コマンドにより指定されたＳＳＩＤに対応するアクセスポイントＡＰ１からのメイン信号ＷＶ１の信号電力を測定する（Ｓｔ４）。電波測定装置１０は、ステップＳｔ４での測定モードにおけるメイン信号ＷＶ１の信号電力の測定結果（第１測定結果）をＰＣ２０に送信する（Ｓｔ５）。
【００６５】
ＰＣ２０は、ステップＳｔ５において電波測定装置１０から送信された第１測定結果を受信してＨＤＤ１７に保存する（Ｓｔ６）。
【００６６】
ＰＣ２０は、ステップＳｔ６の後、測定モードを終了してスキャンモードを開始すると判断する（Ｓｔ７）。ＰＣ２０は、メイン信号ＷＶ１を含む各種の無線信号（例えば、図３に示すメイン信号ＷＶ１および妨害波ＮＺ１〜ＮＺ４）の信号電力を測定するためのスキャンモード用の測定コマンドを生成し、その生成された測定コマンドを電波測定装置１０に送信する（Ｓｔ８）。
【００６７】
電波測定装置１０は、ステップＳｔ８においてＰＣ２０から送信された測定コマンドを受信し（Ｓｔ９）、スキャンモードとして、自装置が配置された地点において、測定コマンドにより指定された全ての無線信号（例えば、メイン信号ＷＶ１および妨害波ＮＺ１〜ＮＺ４）の信号電力を測定する（Ｓｔ１０）。電波測定装置１０は、ステップＳｔ１０でのスキャンモードにおける全ての無線信号の信号電力の測定結果（第２測定結果）をＰＣ２０に送信する（Ｓｔ１１）。
【００６８】
ＰＣ２０は、ステップＳｔ１１において電波測定装置１０から送信された第２測定結果を受信してＨＤＤ１７に保存する（Ｓｔ１２）。ＰＣ２０は、ステップＳｔ１２において受信された第２測定結果のうち、ステップＳｔ６において受信されたメイン信号ＷＶ１の周波数（チャネル）と同一または近傍の周波数（言い換えると、メイン信号ＷＶ１と干渉する周波数）を有する無線信号を送信（放射）した信号源を複数個（例えば２〜３個）選定する（Ｓｔ１３）。
【００６９】
ＰＣ２０は、ステップＳｔ１３において選定された複数個の信号源の信号電力を合算（具体的には、加算）し（Ｓｔ１４）、ステップＳｔ６においてＨＤＤ１７に保存されたメイン信号ＷＶ１の信号電力とステップＳｔ１４において加算された信号電力の加算結果との差（つまり、図４に示すＳＩＮＲ）を、電波測定装置１０が配置された地点における電波環境として演算処理する（Ｓｔ１５）。ＰＣ２０は、ステップＳｔ１５において演算処理されたＳＩＮＲをディスプレイ１８に表示する。
【００７０】
ステップＳｔ１５の後、ユーザが測定対象エリア内で他の地点において同じメイン信号ＷＶ１のＳＩＮＲを測定する場合には（Ｓｔ１６、ＹＥＳ）、ＰＣ２０の処理はステップＳｔ２に戻る。一方、ユーザが測定対象エリア内で他の地点においてメイン信号ＷＶ１のＳＩＮＲを測定しない場合には（Ｓｔ１６、ＮＯ）、図６の処理は終了する。なお、ユーザが測定対象エリア内を伝送中の他のアクセスポイント（図示略）のメイン信号のＳＩＮＲを測定する場合には、ユーザにより改めてＳＳＩＤが選択されるので、図６に示す処理がステップＳｔ１から実行される。
【００７１】
以上により、実施の形態１に係る電波環境測定システム１００では、電波環境表示装置の一例としてのＰＣ２０は、ユーザにより指定された無線識別情報（例えば、ＳＳＩＤ）に対応するアクセスポイントＡＰ１から送信されるメイン信号ＷＶ１の周波数および測定位置を含む電波強度の第１測定結果を入出力インターフェース１６において受け取る。ＰＣ２０は、メイン信号ＷＶ１を含む各種の電波（例えば、メイン信号ＷＶ１、妨害波ＮＺ１〜ＮＺ４）の周波数および測定位置を含む電波強度の第２測定結果を入出力インターフェース１６において受け取る。ＰＣ２０は、第２測定結果から、メイン信号ＷＶ１の周波数と同一または近傍の周波数を有する、メイン信号ＷＶ１以外の他の電波（例えば、妨害波ＮＺ１〜ＮＺ４）に対応する第２測定結果をプロセッサ１１において選択する。ＰＣ２０は、プロセッサ１１において、第１測定結果と選択された第２測定結果との差を、メイン信号ＷＶ１の測定位置における電波環境としてディスプレイ１８に表示する。
【００７２】
これにより、電波環境測定システム１００では、ＰＣ２０は、測定対象エリアを伝送中のアクセスポイントＡＰ１から送信される所望の電波（メイン信号ＷＶ１）の電波環境を測定する際、測定対象エリア内に存在する妨害波の影響を排除して的確な電波環境（例えばＳＩＮＲ）の測定を支援できる。
【００７３】
例えば、メイン信号ＷＶ１の信号電力の大きさだけをそのままその地点における電波環境とすると、そのメイン信号ＷＶ１と強く干渉する可能性のある妨害波が存在する場合、その妨害波の影響を受けてメイン信号ＷＶ１の信号電力が大きく劣化する可能性がある。従って、メイン信号ＷＶ１の信号電力が大きくても、妨害波の信号電力が強いとその地点におけるＳＩＮＲが小さくなり、その地点において他の無線通信装置（図示略）から送信されたデータを復調できないことがあり得るため、通信品質が劣化する。実施の形態１では、測定対象の地点におけるメイン信号ＷＶ１の信号電力だけでなく、妨害波やノイズの影響を勘案したＳＩＮＲを電波環境として用いるので、ＰＣ２０は、その地点が無線通信の通信品質が優れているか否かを、ディスプレイ１８に表示させたＳＩＮＲによって適正にユーザに判別させることができる。
【００７４】
また、ＰＣ２０は、複数個の第２測定結果が選択された場合、プロセッサ１１において、第１測定結果と複数の第２測定結果のそれぞれの加算結果との差をディスプレイ１８に表示する。これにより、ＰＣ２０は、測定対象エリア中にメイン信号ＷＶ１と干渉する可能性のある妨害波が複数存在している場合でも、複数の妨害波の信号電力を考慮した上でメイン信号ＷＶ１の測定位置におけるＳＩＮＲを的確に算出できる。
【００７５】
また、ＰＣ２０は、メイン信号ＷＶ１の電波強度の測定の度に、電波環境の測定対象エリアの所定範囲ＡＲ１内の測定位置を変えて配置される電波測定装置（測定機の一例）からの第１測定結果を入出力インターフェース１６において受け取る。ＰＣ２０は、所定範囲ＡＲ１内の少なくとも１つの測定地点に配置される電波測定装置１０からの第２測定結果を入出力インターフェース１６において、所定範囲ＡＲ１内における第２測定結果として受け取る。これにより、ＰＣ２０は、メイン信号ＷＶ１を含む測定対象エリア内を伝送中の各種の信号源の電波を測定するスキャンモードによる測定を、所定範囲ＡＲ１の少なくとも１箇所で実行すればよく、測定モードによる測定とは違ってスキャンモード時に電波測定装置１０の位置を変える必要が無いので、ＳＩＮＲの算出を迅速に行うことができる。
【００７６】
また、メイン信号ＷＶ１の電波強度の測定位置に配置される電波測定装置１０は、それぞれの面にアンテナ部１〜６が設けられた多面体の筐体を有する。ＰＣ２０は、プロセッサ１１において、多面体のうち少なくとも一面においてメイン信号ＷＶ１を含む他の電波の電波環境の測定を実行させ、多面体の残りの面においてメイン信号ＷＶ１の電波環境の測定を実行させる。これにより、ＰＣ２０は、メイン信号ＷＶ１を含む測定対象エリア内を伝送中の各種の信号源の電波を測定するスキャンモードによる測定を、測定モードと同期間で実行できるので、測定モードとスキャンモードとで個別に測定する必要が無いので、ＳＩＮＲの算出を迅速に行うことができる。
【００７７】
なお、本出願は、２０１８年４月１０日出願の日本特許出願（特願２０１８−０７５６３３）に基づくものであり、その内容は本出願の中に参照として援用される。
【００７８】
以上、図面を参照しながら各種の実施の形態について説明したが、本開示はかかる例に限定されないことは言うまでもない。当業者であれば、特許請求の範囲に記載された範疇内において、各種の変更例、修正例、置換例、付加例、削除例、均等例に想到し得ることは明らかであり、それらについても当然に本開示の技術的範囲に属するものと了解される。また、発明の趣旨を逸脱しない範囲において、上述した各種の実施の形態における各構成要素を任意に組み合わせてもよい。
【産業上の利用可能性】
【００７９】
本開示は、測定対象のエリアを伝送中の無線送信機から送信される所望の電波の電波環境を測定する際、エリア内に存在する妨害波の影響を排除して的確な電波環境の測定を支援する電波環境表示装置および電波環境表示方法として有用である。
【符号の説明】
【００８０】
１，６  アンテナ部
１ｈ，６ｈ  水平偏波アンテナ
１ｍ，６ｍ  アンテナ制御部
１ｓ，６ｓ  スイッチ部
１ｖ，６ｖ  垂直偏波アンテナ
７ａ  ＭＰＵ
７ａ１  データ変換部
７ａ２  スイッチ切換制御部
７ｂ  ＵＳＢポート
１０  電波測定装置
１１  プロセッサ
１２  ＲＯＭ
１３  ＲＡＭ
１４  キーボード
１５  マウス
１６  入出力インターフェース
１７  ＨＤＤ
１８  ディスプレイ
２０  ＰＣ
１００  電波環境測定システム
【図１】
2019198680.tif 000003
【図２】
2019198680.tif 000004
【図３】
2019198680.tif 000005
【図４】
2019198680.tif 000006
【図５】
2019198680.tif 000007
【図６】
2019198680.tif 000008
【国際調査報告】
2019198680.tif 000009
2019198680.tif 000010